(57)【要約】      （修正有）【課題】交換可能であり且つマットレス本体と一体化して有利な効能を有するマットレス具材、前記マットレス具材を具備するマットレス、及びマットレスにおける前記マットレス具材の交換方法を提供することを課題とする。【解決手段】マットレス本体と前記マットレス本体１に一体化するマットレス具材とを有するマットレス用の具材であって、前記マットレス本体１に装着及び脱離できる着脱部と、効能を発揮する効能部とを有する。また、前記マットレス具材を具備し、前記マットレス具材が他のマットレス具材と交換可能である。【選択図】図１
2014036786.tif 000002
【特許請求の範囲】
【請求項１】
マットレス本体と前記マットレス本体に一体化するマットレス具材とを有するマットレス用の具材であって、
前記マットレス本体に装着及び脱離できる着脱部と、効能を発揮する効能部とを有するマットレス具材。
【請求項２】
前記効能が抗アレルゲン効果、消臭効果、冷感効果、温感効果、遠赤外線効果、抗菌効果、好適な触感、好適な寝心地のうちの少なくとも一つである請求項１に記載のマットレス具材。
【請求項３】
前記マットレス本体の表面を被覆するカバー部を有し、
前記着脱部は前記カバー部の周縁に配設されるカバー部側務歯、ボタン、バンドのうち少なくとも一つを備え、
前記マットレス本体は前記カバー部側務歯、ボタン、バンドのうち少なくとも一つにより結合部を形成するマットレス本体側務歯、ボタン、バンドのうち少なくとも一つを備える請求項１又は２に記載のマットレス具材。
【請求項４】
請求項１〜３のいずれかに記載のマットレス具材を具備し、前記マットレス具材が請求項１〜３のいずれかに記載のマットレス具材と交換可能であるマットレス。
【請求項５】
請求項１〜３のいずれかに記載のマットレス具材を前記マットレス本体から脱離させる工程、
請求項１〜３のいずれかに記載のマットレス具材を前記マットレス本体に装着させる工程を含む、前記マットレス本体と前記マットレス本体に一体化する前記マットレス具材とを有するマットレスにおけるマットレス具材の交換方法。
【発明の詳細な説明】
【技術分野】
【０００１】
本発明は、交換可能であり、効能を発揮するマットレス具材、前記マットレス具材を具備するマットレス、および前記マットレス具材の交換方法に関する。
【背景技術】
【０００２】
マットレスはベッドの上や敷布団の下に用いる寝具であり、使用者の安眠や使用感向上のために、種々の工夫が施されている。
従来のマットレスはマットレス本体にマットレス具材であるカバーを施したものが一般的であり、そして、前記カバーにはマットレス本体に装着及び脱離できる着脱部を有するものが知られている。マットレス本体に装着及び脱離できる着脱部を有するカバーは交換可能であるから、マットレス本体から脱離させて洗濯することができるし、他のカバーと交換することもできる。また、マットレス具材には、袋体であり、袋内部に水パッドや精油加工パッドを入れることでマットレスに新たな機能を付与できる寝具の中身用袋も知られている（特許文献１：請求項３、０００７、０００８、００２６、００３０段落を参照）。
【先行技術文献】
【特許文献】
【０００３】
【特許文献１】特開２００４−４９８１４号公報
【発明の概要】
【発明が解決しようとする課題】
【０００４】
しかし、特許文献１に記載の寝具の中身用袋は、マットレス具材の袋体の内部を入れ替えることにより、マットレスに異なる効能を持たせることは可能だが、袋体自体は特段の効能を有さない。そして、特許文献１に記載の寝具の中身用袋においては、袋体の内部に効能を持たせても、その外側の袋体自体が効能の発揮を遮蔽するため、効能の消失、減少が懸念される。
【０００５】
本発明は上記した実情に鑑みてなされたものであり、交換可能であり且つマットレス本体と一体化して有利な効能を有するマットレス具材、前記マットレス具材を具備するマットレス、及びマットレスにおける前記マットレス具材の交換方法を提供することを課題とする。
【課題を解決するための手段】
【０００６】
本発明者らは交換可能なマットレス具材の外面側に特定の有利な効能を発揮させることにより、上記課題を解決できると考えた。さらに、同じ若しくは異なる効能を発揮するマットレス具材を複数準備することにより、使用者の嗜好・要望に合致したマットレスを提供できると考え、本発明に至った。
【０００７】
すなわち、本発明のマットレス具材は、マットレス本体と前記マットレス本体に一体化するマットレス具材とを有するマットレス用の具材であって、前記マットレス本体に装着及び脱離できる着脱部と、効能を発揮する効能部とを有することを特徴とする。
本発明のマットレスは、前記マットレス具材を具備し、前記マットレス具材が他のマットレス具材と交換可能であることを特徴とする。
本発明のマットレス具材の交換方法は、前記マットレス具材をマットレス本体から脱離させる工程、前記マットレス具材を前記マットレス本体に装着させる工程を含む、前記マットレス本体と前記マットレス本体に一体化する前記マットレス具材とを有するマットレスにおけるマットレス具材の交換方法である。
【０００８】
本発明においてマットレスとは、マットレス本体と、少なくとも１つの前記マットレス本体に一体化するマットレス具材とを有するものであり、一般の使用者からみてマットレスそのもの（マットレス単品）と認識できるものである。例えば、マットレスの上面に単にカバーを敷いたものはマットレスとカバーの二つの物品として認識されるため、マットレスの上面にカバーを敷いたもの自体は本発明のマットレスとは異なる。また、別の例として、マットレス本体の上面を単にカバーで覆ったものは、マットレス本体に一体化するマットレス具材を有していないので、本発明におけるマットレスでない。
本発明のマットレスが有するマットレス具材の数については特に制限がなく、使用者の要望に応じ、所望のマットレス具材をマットレスに追加してもよい。
【０００９】
マットレス本体は、中材に弾性材料および／または水等の液体を充てんした袋を有する布製または樹脂製ケースであって、マットレスの体積の少なくとも半分以上を占めるものである。弾性材料としては、例えば、線状の鋼のスプリング、ウレタン樹脂、やしの身（パーム）の繊維、木綿、および空気を充てんした袋等が挙げられるがこれらに限定されるものでなく、また、これら弾性材料の複数を組み合わせたものでもよい。マットレス本体には、マットレス具材を装着及び脱離するための着脱部を有するのが好ましい。
【００１０】
マットレス具材は、マットレス本体以外のマットレスを構成する具材であって、通常マットレス具材として用いられるものであれば特に限定されない。例えば、布製材料、エラストマー若しくはゲル等の弾性体で形成され一定の形状を有する弾性体ユニット、ウレタン等の合成樹脂板、及びこれらを複数備えた材料が挙げられる。特に、平板状の綿又はキルトを内部に含む布製袋が好ましく、この布製袋の開口部には、開口部を開閉するための務歯、ボタン、バンド等を有する開閉部が備えられるのがさらに好ましい。
マットレス具材をさらに具体的に例示すると、マットレス本体の下部を覆う布製のアンダーカバー、マットレス本体以外のウレタンベース、マットレス本体を覆う布製のベースカバー、エラストマー樹脂製の柱状弾性体ユニットを内包するフレックスバッグ、前記マットレス本体及び／又は他のマットレス具材を覆う布製又は布及び綿若しくはキルト製のオーバーカバー、そしてこれらマットレス具材を覆う布製又は布及び綿若しくはキルト製のアッパーカバーが挙げられる。エラストマー樹脂としては特に限定はないが、スチレン系ベースポリマーにオイルを含有させたスチレン系エラストマー樹脂が好ましい。
また、マットレス具材は、マットレス本体や他のマットレス具材の表面を被覆するカバー部、マットレス本体に装着及び脱離できる着脱部、効能を発揮する効能部のうち一つ又は複数を有するものが好ましい。
【００１１】
本発明において、「マットレス本体に装着及び脱離できる着脱部」の意味には、マットレス本体と直に装着及び脱離する着脱部のみでなく、他のマットレス具材と装着及び脱離することで間接的にマットレス本体に装着及び脱離できる着脱部も包含される。
着脱部としては、マットレス具材とマットレス本体又は他のマットレス具材とを装着及び脱離できるものであれば特に限定されないが、務歯、ボタン、バンド等を有するものが挙げられる。着脱部はマットレス本体又は他のマットレス具材の着脱部と一体化して、例えば線ファスナー等の結合部を形成する。ここで、例えば、結合部を形成する一方の着脱部がボタンを有する場合、他方の着脱部はボタン穴を有するし、また、一方の着脱部が凸状スナップボタンを有する場合、他方の着脱部は前記凸と対になる凹状スナップボタンを有する。また、着脱部は、カバー部を有するマットレス具材であれば、そのカバー部の周縁に配設されるのが好ましい。
【００１２】
効能としては、人体に有利なものであれば特に限定されないが、抗アレルゲン効果、消臭効果、冷感効果、温感効果、遠赤外線効果、抗菌効果、好適な触感、好適な寝心地等が挙げられる。
【００１３】
効能を発揮する効能部としては、例えば、セラミックス粒子、竹炭、木炭、活性炭、抗菌剤、抗アレルゲン剤等を含有および／または付着させた布、アレルゲンバリヤー布、蓄熱材含有布、絹製布、綿製布等が挙げられる。効能を効果的に発揮させるために、効能を発揮する効能部はマットレス具材の外面側に位置するのが好ましいが、マットレス具材の内側に位置するものを除外するものでなく、同じ又は異なる効能を発揮する効能部がマットレス具材の複数箇所に存在するのも好ましい。
【００１４】
セラミックス粒子が遠赤外線を放射すること、脱臭性及び抗菌性を有すること、並びに、竹炭、木炭及び活性炭が脱臭性を有することは、広く知られたことである。また、各種の菌がアレルゲンや臭いの源となり得ることも、広く知られていることである。
よって、セラミックス粒子を含有および／または付着させた布は、遠赤外線効果、温感効果、消臭効果、抗アレルゲン効果、抗菌効果を発揮する。また、竹炭、木炭、活性炭を含有および／または付着させた布は消臭効果を発揮し、抗菌剤を含有および／または付着させた布は消臭効果、抗アレルゲン効果、抗菌効果を発揮し、抗アレルゲン剤を含有および／または付着させた布は抗アレルゲン効果を発揮する。
セラミックス粒子を含有させた布は、例えば、ポリエステル等の合成ポリマーを溶融状態とし、この中にセラミックス粒子を均一に分散させた後、繊維化して布とする方法で製造される。また、セラミックス粒子を付着させた布は、例えば、バインダー溶液にセラミックス粒子を分散させてコーティング液とし、このコーティング液を布に塗布、乾燥させる方法や、布をこのコーティング液に浸す方法（いわゆるDipping）で製造される。これらと同様の方法で、竹炭、木炭、活性炭、抗菌剤、抗アレルゲン剤等を含有および／または付着させた布も製造される。
抗菌剤としては、抗菌活性を有すると一般的に認められるものであれば制限はないが、臭いの源となる菌に活性を有するものが好ましく、ザオバタック（大和化学工業株式会社）等が例示される。
抗アレルゲン剤としては、アレルゲンを不活化すると一般的に認められるものであれば制限はないが、アレリムーブ（東亜合成株式会社）、アレルバスター（積水ポリマテック株式会社）等が例示される。
【００１５】
アレルゲンバリヤー布は平均孔径が１０μｍ以下の布である。室内アレルギーの源であるダニおよびその排泄物は、大きさが１０μｍ以上であるため、前記アレルゲンバリヤー布を通過できない。よって、アレルゲンバリヤー布は抗アレルゲン効果を発揮する。
【００１６】
蓄熱材含有布としては、例えば、融点が２５〜３５℃のｎ−パラフィンを有するマイクロカプセルを有する布が挙げられる。ここで、例えば、前記ｎ−パラフィンとして融点が３２℃のｎ−ノナデカンを例に挙げると、エアコン等を用い予め３２℃以下の雰囲気下にｎ−ノナデカンを有する蓄熱材含有布を曝すことでｎ−ノナデカンは凝固する。そして、ｎ−ノナデカンが凝固した蓄熱材含有布を寝具に使用すると、人の就寝時に人体から発せられる熱が蓄熱材に吸熱される、すなわち人体から発せられる熱がｎ−ノナデカンの融解に用いられるために、蓄熱材含有布は３２℃以上に上がりにくくなり、蓄熱材含有布を有する寝具の使用者は冷感効果を得ることができる。
蓄熱材含有布の製造方法としては、例えば、ｎ−パラフィン封入マイクロカプセルとバインダーからなる処理液を布に塗布、乾燥させる方法で製造される。
【００１７】
絹製布、綿製布等は、繊維として絹、綿等を用いて布を織ることで製造できる。そして、使用者の主観にもよるが、おおむね絹製布からは滑らかでサラサラな触感を、綿製布からはソフトな触感をそれぞれ感じ取ることができる。
以上の効能部はいずれも使用者に好適なものであるから、これら効能部を有するマットレス具材を用いたマットレスは、結果として、使用者に好適な寝心地を提供することができる。
【００１８】
本発明のマットレス具材の交換方法は、マットレス具材をマットレス本体から脱離させる工程、およびマットレス具材をマットレス本体に装着させる工程を含んでいればよい。交換されるマットレス具材は単数でもよいし、複数でもよい。また、交換前のマットレス具材と交換後のマットレス具材は、同じ効能を発揮する効能部を有するものでもよいし、異なる効能を発揮する効能部を有するものでもよい。
さらに、マットレス具材の一部分に効能部を有するものを交換する場合については、マットレス具材をマットレス本体から脱離させる工程の後、マットレス具材の効能部を含む部分のみを脱離させ、次いで同じ又は異なる効能を発揮する効能部を含む部分のみを装着してマットレス具材とし、これをマットレス本体に装着する工程を含んでいるのが好ましい。
【発明の効果】
【００１９】
本発明の前記マットレス具材は交換容易なものであるから、使用したマットレス具材をマットレス本体から脱離し、他のマットレス具材をマットレス本体に装着することにより、常に清潔なマットレスを保つことができる。また、使用したマットレス具材を洗濯など洗浄することにより再び清潔なものとすることができる。さらに、使用者の求めに応じて、マットレス具材を他の異なる効能を発揮するマットレス具材と交換し、新たな効能を発揮するマットレスとすることもできるし、異なる効能を発揮するマットレス具材を複数併用して多効能を発揮するマットレスとすることもできる。
特に、効能を発揮する効能部が外面側に位置するマットレス具材は、効能部が使用者に近いため、効能の消失、減少は懸念されず、効果的に所望の効能を奏する。
【図面の簡単な説明】
【００２０】
【図１】実施例１のマットレスを構成するマットレス本体及びマットレス具材を示す図である。
【図２】実施例２のマットレスを構成するマットレス本体及びマットレス具材を示す図である。
【図３】実施例２のオーバーカバーの模式図である。
【図４】実施例２のアッパーカバーの模式図である。
【発明を実施するための形態】
【００２１】
（実施形態１）
本発明の実施例１のマットレス１０を図１に示す。
このマットレス１０は、マットレス本体１とマットレス具材のアンダーカバー２、リバーシブルベース３、ベースカバー４、フレックスバッグ５、オーバーカバー６、アッパーカバー７からなる。
マットレス本体１はウレタン製で直方体形状であり、リバーシブルベース３とフレックスバッグ５を収めるケースの役割をもつ。
アンダーカバー２はマットレス本体１の下面及び側面を被覆するための、長方形状の上側開口部を有する容器状の布製カバーである。前記上側開口部の上端の周縁と底面の長辺には務歯が線状に備えられている。
リバーシブルベース３はマットレス本体１の凹部に設置される平板形状のウレタン樹脂である。
ベースカバー４はマットレス本体１の上面及び側面を被覆するためのアレルゲンバリヤー布製カバーである。
フレックスバッグ５は、複数のエラストマー樹脂製柱状弾性体ユニットを上面に備えた硬質ウレタン平板、及び、この硬質ウレタン平板を内包するウレタンラミネート伸縮布地袋からなり、ベースカバー４の上面に設置される。
オーバーカバー６は、ベースカバー４及びフレックスバッグ５を上方から被覆するための竹炭含有布製カバーであり、このカバーの周縁には務歯が線状に備えられている。そして、オーバーカバー６の務歯と、アンダーカバー２の上端の務歯とを噛み合わせて線ファスナーを形成させることで、オーバーカバー６はアンダーカバー２と一体化する。
アッパーカバー７は、積層されたマットレス本体１、アンダーカバー２、リバーシブルベース３、ベースカバー４、フレックスバッグ５、およびオーバーカバー６をこれらの上方から被覆するための長方形状のセラミックス粒子含有布製カバーであり、アッパーカバー７の長辺には務歯が線状に備えられている。そして、アッパーカバー７の務歯と、アンダーカバー２の務歯とを噛み合わせて線ファスナーを形成させることで、アッパーカバー７はアンダーカバー２と一体化する。
マットレス１０は、アレルゲンバリヤー布製のベースカバー４、竹炭含有布製のオーバーカバー６、およびセラミックス粒子含有布製のアッパーカバー７を有するため、抗アレルゲン効果、消臭効果、遠赤外線効果、温感効果、抗菌効果を発揮する。
また、マットレス１０のセラミックス粒子含有布製のアッパーカバー７を、例えば、蓄熱材としてｎ−パラフィンを有するマイクロカプセルを用いた蓄熱材含有布製のアッパーカバーと交換することで、冷感効果を発揮するマットレスとすることができる。そして、使用後のセラミックス粒子含有布製のアッパーカバー７は、洗濯など洗浄することで、再び清潔なカバーとすることができる。
【００２２】
（実施形態２）
本発明の実施例２のマットレス１０を図２に示す。
このマットレス１０は、マットレス本体１とオーバーカバー６、アッパーカバー７からなる。実施例２のオーバーカバー６、アッパーカバー７の模式図を図３、４に示す。
マットレス本体１は中材にウレタン製の弾性材料を有する直方体形状の布製ケースである。マットレス本体１の上面の周縁、および底面における長辺には務歯が線状に備えられている。
オーバーカバー６は、３層積層した平板状の綿を内部に含む平板状の布製袋であり、底面の周縁には務歯が線状に備えられている。ここで、オーバーカバー６の前記袋は線ファスナーを形成する開閉部を有しており、この開閉部を介して前記平板状の綿を取り出すことができる。オーバーカバー６の底面の周縁の務歯と、マットレス本体１の上面の周縁の務歯とを噛み合わせて線ファスナーを形成させることで、オーバーカバー６はマットレス本体１と一体化する。オーバーカバー６の布は、経糸として太さ３００デニールのポリエステル製繊維を、緯糸として太さ３００デニールの竹炭含有ポリエステル製繊維をそれぞれ用い、経糸が１インチあたり１０４本、緯糸が１インチあたり４７本となるように織った布を、抗菌剤ザオバタックNANO-20（大和化学工業株式会社）含有液に浸して（Dipping）製造したものである。
アッパーカバー７は、積層されたマットレス本体１とオーバーカバー６をこれらの上方から被覆するためのカバーであって、２層積層した平板状の綿を内部に含む平板状の布製袋であり、アッパーカバー７の長辺の周縁には務歯が線状に備えられている。ここで、アッパーカバー７の前記袋は線ファスナーを形成する開閉部を有しており、この開閉部を介して前記平板状の綿を取り出すことができる。そして、アッパーカバー７の長辺の周縁の務歯と、マットレス本体１の底面における長辺の務歯とを噛み合わせて線ファスナーを形成させることで、アッパーカバー７はマットレス本体１と一体化する。アッパーカバー７の布は、経糸として太さ３００デニールのポリエステル製繊維を、緯糸として太さ３００デニールのポリエステル製繊維をそれぞれ用い、経糸が１インチあたり１０４本、緯糸が１インチあたり４７本となるように織った布を、抗アレルゲン剤アレリムーブZS300（東亜合成株式会社）含有液に浸して（Dipping）製造したものである。
マットレス１０は、竹炭および抗菌剤含有布を用いたオーバーカバー６、並びに抗アレルゲン剤含有布を用いたアッパーカバー７を有するため、消臭効果、抗アレルゲン効果、抗菌効果を発揮する。
マットレス１０のオーバーカバー６若しくはアッパーカバー７を他の効能を発揮するオーバーカバー若しくはアッパーカバーと交換することで新たな効能を発揮するマットレスとすることができるし、また、例えば、マットレス１０から脱離させたアッパーカバー７のうち、抗アレルゲン剤含有袋のみを他の効能を発揮する袋と交換しマットレス本体に装着することでも新たな効能を発揮するマットレスとすることができる。
【００２３】
（試験例１）
抗菌消臭効能を付加したオーバーカバーの効能試験を行った。
オーバーカバーとしては、経糸として太さ３００デニールのポリエステル製繊維を、緯糸として太さ３００デニールの竹炭含有ポリエステル製繊維をそれぞれ用い、経糸が１インチあたり１０４本、緯糸が１インチあたり４７本となるように織った布を、抗菌剤ザオバタックNANO-20（大和化学工業株式会社）含有液に浸して（Dipping）製造したものを用いた。
試験方法はＳＥＫマーク繊維製品認証基準（ＪＥＣ３００）の汗臭の消臭性試験に従った。
その結果、抗菌消臭効能を付加したオーバーカバーの臭気成分減少率は、アンモニア７０％以上、酢酸８０％以上、イソ吉草酸８５％以上であった。
【００２４】
（試験例２）
抗アレルゲン効能を付加したオーバーカバーの効能試験を行った。
オーバーカバーとしては、経糸として太さ３００デニールのポリエステル製繊維を、緯糸として太さ３００デニールのポリエステル製繊維をそれぞれ用い、経糸が１インチあたり１０４本、緯糸が１インチあたり４７本となるように織った布を、抗アレルゲン剤アレリムーブZS300（東亜合成株式会社）含有液または抗アレルゲン剤アレルバスター（積水ポリマテック株式会社）含有液に浸して（Dipping）製造したものを用いた。
アレルゲン不活化試験を行ったところ、両薬剤を用いたオーバーカバーともに９０％以上の不活化率を示した。
【符号の説明】
【００２５】
１はマットレス本体、２はアンダーカバー、３はリバーシブルベース、４はベースカバー、５はフレックスバッグ、６はオーバーカバー、７はアッパーカバー、１０はマットレス、６１はオーバーカバーの上面側布、６２はオーバーカバーの下面側布、７１はアッパーカバーの上面側布、７２はアッパーカバーの下面側布、６３および７３は綿を示す。
【図１】
2014036786.tif 000003
【図２】
2014036786.tif 000004
【図３】
2014036786.tif 000005
【図４】
2014036786.tif 000006